(57)【要約】【課題】第１オリフィス形成部材と第２オリフィス形成部材の中間筒への組付けミスを防止できる液封入式防振装置を提供する【解決手段】第１オリフィス形成部材３１の第１嵌合端部３２を、中間筒１６の第１嵌合凹部３３に、第２嵌合端部３４を第２嵌合凹部３５に嵌合させ、第２オリフィス形成部材３７の第３嵌合端部３８を第３嵌合凹部３９に、第４嵌合端部４０を第４嵌合凹部４１に嵌合させてある液封入式防振装置であって、第１嵌合端部３２と第２嵌合端部３４と第３嵌合端部３８と第４嵌合端部４０が、嵌合対象ではない別の３個の嵌合凹部にそれぞれ嵌合できないように、第１嵌合端部３２と第２嵌合端部３４と第３嵌合端部３８と第４嵌合端部４０、及び、前記第１嵌合凹部３３と第２嵌合凹部３５と第３嵌合凹部３９と第４嵌合凹部４０を形成してある。【選択図】        図５
2004218683.tif 000002
【特許請求の範囲】
【請求項１】
内筒とこれを囲む中間筒との間にゴム状弾性体から成る防振基体を介在させ、前記中間筒を外筒に内嵌して、前記防振基体を挟んで位置する一対の液室と、両液室を連通させるオリフィスとを形成し、前記中間筒を、前記外筒に圧接させる一対のリング部と、両リング部同士を連結し前記ゴム状弾性体を加硫接着させる一対の連結壁とから構成し、
一方の連結壁の幅方向の一端側に第１嵌合凹部を、他方の連結壁の幅方向の一端側に第２嵌合凹部を形成するとともに、前記一方の連結壁の幅方向の他端側に第３嵌合凹部を、前記他方の連結壁の幅方向の他端側に第４嵌合凹部を形成し、前記オリフィスを形成するに、円弧状に形成した第１オリフィス形成部材の一端側の第１嵌合端部を前記第１嵌合凹部に、他端側の第２嵌合端部を前記第２嵌合凹部に嵌合し、円弧状に形成した第２オリフィス形成部材の一端側の第３嵌合端部を前記第３嵌合凹部に、他端側の第４嵌合端部を前記第４嵌合凹部に嵌合して、前記第１オリフィス形成部材の第１オリフィス溝と、前記第２オリフィス形成部材の第２オリフィス溝とを連通させてある液封入式防振装置であって、
前記第１嵌合端部と第２嵌合端部と第３嵌合端部と第４嵌合端部が、前記第１嵌合凹部と第２嵌合凹部と第３嵌合凹部と第４嵌合凹部のうち、嵌合対象ではない別の３個の嵌合凹部にそれぞれ嵌合できないように、前記第１嵌合端部と第２嵌合端部と第３嵌合端部と第４嵌合端部、及び、前記第１嵌合凹部と第２嵌合凹部と第３嵌合凹部と第４嵌合凹部を形成してある液封入式防振装置。
【請求項２】
前記第１嵌合凹部と第３嵌合凹部を、互いに同一幅に、かつ、前記内外筒の軸芯方向で同一位置に設定し、前記第２嵌合凹部と第４嵌合凹部を、前記第１嵌合凹部及び第３嵌合凹部の幅とは異ならせて互いに同一幅に、かつ、前記内外筒の軸芯方向で同一位置に設定し、前記内外筒の軸芯方向における前記第１及び第３嵌合凹部の一方の内壁と第２及び第４嵌合凹部の一方の内壁とを前記内外筒の軸芯方向で同一位置に設定してある請求項１記載の液封入式防振装置。
【請求項３】
前記第１オリフィス溝を、前記第１オリフィス形成部材の周方向に沿う第１溝部と第２溝部で構成して、前記第１溝部を前記第１オリフィス形成部材の両端側で開放させ、前記第２溝部を、前記第１オリフィス形成部材の一端側で開放させるとともに、他端側で第１開口を介して一方の液室に連通させ、前記第２オリフィス溝を、前記第２溝部の開放側の端部と、前記第１オリフィス形成部材の他端側の第１溝部の端部とを連通させる部分らせん溝に形成し、
前記第２オリフィス形成部材に、前記第１オリフィス形成部材の一端側の第１溝部の端部と、他方の液室とを連通させる第２開口を形成してある請求項１又は２記載の液封入式防振装置。
【発明の詳細な説明】
【０００１】
【発明の属する技術分野】
本発明は、内筒とこれを囲む中間筒との間にゴム状弾性体から成る防振基体を介在させ、前記中間筒を外筒に内嵌して、前記防振基体を挟んで位置する一対の液室と、両液室を連通させるオリフィスとを形成し、前記中間筒を、前記外筒に圧接させる一対のリング部と、両リング部同士を連結し前記ゴム状弾性体を加硫接着させる一対の連結壁とから構成し、
一方の連結壁の幅方向の一端側に第１嵌合凹部を、他方の連結壁の幅方向の一端側に第２嵌合凹部を形成するとともに、前記一方の連結壁の幅方向の他端側に第３嵌合凹部を、前記他方の連結壁の幅方向の他端側に第４嵌合凹部を形成し、前記オリフィスを形成するに、円弧状に形成した第１オリフィス形成部材の一端側の第１嵌合端部を前記第１嵌合凹部に、他端側の第２嵌合端部を前記第２嵌合凹部に嵌合し、円弧状に形成した第２オリフィス形成部材の一端側の第３嵌合端部を前記第３嵌合凹部に、他端側の第４嵌合端部を前記第４嵌合凹部に嵌合して、前記第１オリフィス形成部材の第１オリフィス溝と、前記第２オリフィス形成部材の第２オリフィス溝とを連通させてある液封入式防振装置に関する。
【０００２】
【従来の技術】
この種の液封入式防振装置を製作する場合、液中で第１オリフィス形成部材と第２オリフィス形成部材を中間筒に取付け、一体になった第１及び第２オリフィス形成部材・中間筒を前記液中で外筒に挿入し、外筒を縮径加工して製作している。
【０００３】
このようにして得られた液封入式防振装置は、例えば、自動車のサスペンションメンバーとデファレンシャル機構等との間に設けられ、振動の入力でゴム状弾性体を弾性変形させ、両液室の容積の変更に伴って液体を流動させ、その流動効果によって優れた振動減衰効果を発揮している。
【０００４】
従来、第１オリフィス形成部材と第２オリフィス形成部材は、共に円弧状でほぼ同じ大きさに形成してあった。そして、第１〜第４嵌合端部を、第１〜第４嵌合凹部のいずれにも嵌合できるようになっていた。
【０００５】
【発明が解決しようとする課題】
上記従来の構成によれば、第１オリフィス形成部材と第２オリフィス形成部材を取り違えて、それらの嵌合端部を中間筒の嵌合凹部に嵌合したり、第１オリフィス形成部材（あるいは第２オリフィス形成部材）の第１嵌合端部と第２嵌合端部を逆にして第１嵌合凹部と第２嵌合凹部に嵌合したりすることがあった。
【０００６】
その結果、第１オリフィス形成部材の第１オリフィス溝と第２オリフィス形成部材の第２オリフィス溝とが連通しなくなって、不良品になるという問題があった。
【０００７】
本発明は上記実状に鑑みて成されたもので、その目的は、第１オリフィス形成部材と第２オリフィス形成部材の中間筒への組付けミスを防止できる液封入式防振装置を提供する点にある。
【０００８】
【課題を解決するための手段】
請求項１による発明の構成は、冒頭に記載した液封入式防振装置において、前記第１嵌合端部と第２嵌合端部と第３嵌合端部と第４嵌合端部が、前記第１嵌合凹部と第２嵌合凹部と第３嵌合凹部と第４嵌合凹部のうち、嵌合対象ではない別の３個の嵌合凹部にそれぞれ嵌合できないように、前記第１嵌合端部と第２嵌合端部と第３嵌合端部と第４嵌合端部、及び、前記第１嵌合凹部と第２嵌合凹部と第３嵌合凹部と第４嵌合凹部を形成してある点にある。
【０００９】
この構成により、第１オリフィス形成部材の第１嵌合端部と第２嵌合端部を逆にして第１嵌合凹部と第２嵌合凹部に嵌合することや、第３嵌合凹部と第４嵌合凹部に嵌合すること、及び、第１嵌合端部と第２嵌合端部を逆にして第３嵌合凹部と第４嵌合凹部に嵌合することができなくなる。
【００１０】
また、第２オリフィス形成部材の第３嵌合端部と第４嵌合端部を逆にして第３嵌合凹部と第４嵌合凹部に嵌合することや、第１嵌合凹部と第２嵌合凹部に嵌合すること、及び、第３嵌合端部と第４嵌合端部を逆にして第１嵌合凹部と第２嵌合凹部に嵌合することができなくなる。
【００１１】
つまり、第１嵌合端部と第２嵌合端部を、それらの嵌合対象である第１嵌合凹部と第２嵌合凹部に各別に嵌合させない限り、第１オリフィス形成部材を中間筒に取付けることができなくなる。同様に、第３嵌合端部と第４嵌合端部を、それらの嵌合対象である第３嵌合凹部と第４嵌合凹部に各別に嵌合させない限り、第２オリフィス形成部材を中間筒に取付けることができなくなる。
【００１２】
請求項２による発明の構成は、請求項１による発明の構成において、前記第１嵌合凹部と第３嵌合凹部を、互いに同一幅に、かつ、前記内外筒の軸芯方向で同一位置に設定し、前記第２嵌合凹部と第４嵌合凹部を、前記第１嵌合凹部及び第３嵌合凹部の幅とは異ならせて互いに同一幅に、かつ、前記内外筒の軸芯方向で同一位置に設定し、前記内外筒の軸芯方向における前記第１及び第３嵌合凹部の一方の内壁と第２及び第４嵌合凹部の一方の内壁とを前記内外筒の軸芯方向で同一位置に設定してある点にある。
【００１３】
この構成によれば、第１オリフィス形成部材の第１嵌合端部を、これとは幅の異なる第２嵌合凹部や第４嵌合凹部に嵌合させることができなくなる。第３嵌合端部は、第１嵌合端部の嵌合対象である第１嵌合凹部と同じ幅であるが、第１嵌合端部を第３嵌合凹部に嵌合させようとすると、第１オリフィス形成部材のもう一つの第２嵌合端部が、内外筒の軸芯方向で第４嵌合凹部と位置ずれして、第４嵌合凹部に嵌合できなくなる。これは、内外筒の軸芯方向における第１及び第３嵌合凹部の一方の内壁と第２及び第４嵌合凹部の一方の内壁とを内外筒の軸芯方向で同一位置に設定してあるからである。
【００１４】
第１オリフィス形成部材の第２嵌合端部や、第２オリフィス形成部材の第３嵌合端部・第４嵌合端部を、嵌合対象である嵌合凹部とは別の嵌合凹部に嵌合する場合も上記と同様の状態になる。
【００１５】
第１〜第４嵌合凹部の幅を互いに異ならせる（これに対応させて第１〜第４嵌合端部の幅も異ならせる）手段でも上記と同様の作用を奏することができるが、この手段に比べると、請求項２による構成では次のような利点がある。
【００１６】
この種の液封入式防振装置では、この装置の各部品に制約されてオリフィス形成部材の幅を大きくすることができないことがあり、このような場合、嵌合凹部を４つの異なる幅に設定すると互いの幅の差が小さくなる。これらの嵌合凹部は一般にゴム部材で形成してあるために、第１嵌合端部（又は第２〜第４嵌合端部）を、嵌合対象の第１嵌合凹部とは幅の差が少ししかない第２嵌合凹部（又は第１，第３，第４嵌合凹部）に押し込むと、第２嵌合凹部が弾性変形して嵌合されてしまう不具合がある。
【００１７】
これに対して請求項２の構成によれば、嵌合凹部の幅を二つの異なる幅に設定するだけで済み、両幅の差を大きくすることができて、上記のような不具合を回避することができる。
【００１８】
請求項３による発明の構成は、請求項１又は２による発明の構成において、前記第１オリフィス溝を、前記第１オリフィス形成部材の周方向に沿う第１溝部と第２溝部で構成して、前記第１溝部を前記第１オリフィス形成部材の両端側で開放させ、前記第２溝部を、前記第１オリフィス形成部材の一端側で開放させるとともに、他端側で第１開口を介して一方の液室に連通させ、
前記第２オリフィス溝を、前記第２溝部の開放側の端部と、前記第１オリフィス形成部材の他端側の第１溝部の端部とを連通させる部分らせん溝に形成し、
前記第２オリフィス形成部材に、前記第１オリフィス形成部材の一端側の第１溝部の端部と、他方の液室とを連通させる第２開口を形成してある点にある。
【００１９】
この構成により、オリフィスをらせん状に長く形成することができる。そして、このようならせん状のオリフィスを備えた構造において、請求項１又は２の構成による上記作用と同様の作用を奏することができる。
【００２０】
【発明の実施の形態】
以下、本発明の実施の形態を図面に基づいて説明する。図１，図２に、自動車のフロントサスペンションメンバーとロアアーム（共に図示せず）との間に設ける前後一対の防振装置のうち、後側に設ける横置きタイプの円筒型の液封入式防振装置を示してある。
【００２１】
その構造について説明すると、内筒１とこれを囲む中間筒１６との間に一対のゴム状弾性体８から成る防振基体３を介在させ、中間筒１６を外筒２に内嵌し、防振基体３を挟んで位置する一対の液室４と、両液室４を連通させるオリフィス５とを形成してある。この液封入式防振装置は、車体にボルト止めされるブラケットに圧入され、ロアアームから出ているピンを内筒１に挿通されてサスペンションメンバーに固定される。
【００２２】
中間筒１６は、外筒２に圧接させる一対の同芯状のリング部２２と、両リング部２２同士をそれらの径方向内方側に対応する側で連結する一対の連結壁１５，１７とから成る（図３，図５参照）。
【００２３】
一対の連結壁１５，１７は中間筒１６の軸芯Ｏに関して点対称に位置し、前記ゴム状弾性体８は、一対の連結壁１５，１７と、これらに対向する内筒部分１Ａ，１Ｂとにわたって加硫成形してある。また、リング部２２の外周面と一対の連結壁１５，１７の外周面とをゴム膜で覆ってある。
【００２４】
図３，図５（いずれも外筒２は示さず）に示すように、一方の連結壁１５の幅方向の一端１５Ａ側に第１嵌合凹部３３を、他方の連結壁１７の幅方向の一端１７Ａ側に第２嵌合凹部３５をそれぞれゴム部材で形成し、一方の連結壁１５の幅方向の他端１５Ｂ側に第３嵌合凹部３９を、他方の連結壁１７の幅方向の他端１７Ｂ側に第４嵌合凹部４１をそれぞれゴム部材で形成してある。第１嵌合凹部３３・第２嵌合凹部３５・第３嵌合凹部３９・第４嵌合凹部４１はいずれも切欠き状になっている。
【００２５】
図２に示すように、液室４は、内外筒１，２の周方向で一方のゴム状弾性体８と他方のゴム状弾性体８との間の空間を、内外筒１，２の軸芯方向両外方側から一対の互いに対向したゴム壁１０で各別に覆って形成してある。ゴム壁１０はゴム状弾性体８と一体に加硫成形されている。そして、リング部２２の内周面と、内外筒１，２の周方向で両ゴム状弾性体８の間の内筒部分とに加硫接着している。
【００２６】
一対のゴム壁１０の間の内筒部分から液室４内に突出するストッパ部１１を設けてある。このストッパ部１１によって内筒１と外筒２の過剰な相対変位を防止する。
【００２７】
図３〜図７にも示すように前記オリフィス５は、第１オリフィス形成部材３１の一端３１Ａ側の第１嵌合端部３２を第１嵌合凹部３３に、他端３１Ｂ側の第２嵌合端部３４を第２嵌合凹部３５に嵌合させ、第２オリフィス形成部材３７の一端３７Ａ側の第３嵌合端部３８を第３嵌合凹部３９に、他端３７Ｂ側の第４嵌合端部４０を第４嵌合凹部４１に嵌合させて形成する。第１オリフィス形成部材３１と第２オリフィス形成部材３７はいずれも円弧状である。
【００２８】
これにより、第１オリフィス形成部材３１の背部に形成した第１オリフィス溝３０と、第２オリフィス形成部材３７の背部に形成した第２オリフィス溝３６とを、連結壁２１の背部側に形成した流路５０を介して連通させる。
【００２９】
第１オリフィス溝３０は、第１オリフィス形成部材３１の周方向に沿う第１溝部４２と第２溝部４４とで構成してある。また、第１溝部４２を第１オリフィス形成部材３１の両端３１Ａ，３１Ｂ側で開放させ、第２溝部４４を、第１オリフィス形成部材３１の一端側３１Ａで開放させるとともに、他端３１Ｂ側で第１開口４３を介して一方の液室４に連通させてある。
【００３０】
第２オリフィス溝３６は、第２溝部４４の開放側の端部４４Ａと、第１オリフィス形成部材３１の他端３１Ｂ側の第１溝部４２の端部４２Ａとを連通させる部分らせん溝に形成してある。そして第２オリフィス形成部材３７に、第１オリフィス形成部材３１の一端３１Ａ側の第１溝部４２の端部４２Ｂと、他方の液室４とを連通させる第２開口４５を形成してある。
【００３１】
第１嵌合端部３２と第２嵌合端部３４と第３嵌合端部３８と第４嵌合端部４０が、第１嵌合凹部３３と第２嵌合凹部３５と第３嵌合凹部３９と第４嵌合凹部４１のうち、嵌合対象ではない別の３個の嵌合凹部にそれぞれ嵌合できないように、第１嵌合端部３２と第２嵌合端部３４と第３嵌合端部３８と第４嵌合端部４０、及び、第１嵌合凹部３３と第２嵌合凹部３５と第３嵌合凹部３９と第４嵌合凹部４１を形成してある。
【００３２】
つまり、第１嵌合凹部３３と第３嵌合凹部３９を、互いに同一幅に、かつ、内外筒１，２の軸芯方向で同一位置に設定し、第２嵌合凹部３５と第４嵌合凹部４１を、第１嵌合凹部３３及び第３嵌合凹部３９の幅とは異ならせて互いに同一幅に、かつ、内外筒１，２の軸芯方向で同一位置に設定し、内外筒１，２の軸芯方向における第１及び第３嵌合凹部３３，３９の一方の内壁３３Ａ，３９Ａと第２及び第４嵌合凹部３５，４１の一方の内壁３５Ａ，４１Ａとを内外筒１，２の軸芯方向で同一位置に設定してある。
【００３３】
図５に示すように前記第１嵌合端部３２は、第１オリフィス形成部材３１の周方向の一端部を幅方向外方側に突出させ、凸部４６を形成して構成してある。第２嵌合端部３４は第１オリフィス形成部材３１の周方向の中間部と同一幅になっている。第３嵌合端部３８は、第２オリフィス形成部材３７の周方向の一端部を幅方向外方側に突出させ、凸部４８を形成して構成してある。第４嵌合端部４０は第２オリフィス形成部材３７の周方向の中間部と同一幅になっている。
【００３４】
第１オリフィス形成部材３１の周方向で第１凸部４６を除く第１オリフィス形成部材本体部と、第２オリフィス形成部材３７の周方向で第２凸部４８を除く第２オリフィス形成部材本体部とは同一幅で、一定の幅になっている。第１凸部４６と第２凸部４８は、中間筒１６の軸芯方向で同一方向に突出しており、第１凸部４６は第１嵌合凹部３３の他方の内壁３３Ｂに、第２凸部４８は第３嵌合凹部３９の他方の内壁３９Ｂに圧接する。
【００３５】
外筒２は、中間筒１６等を収容した状態で液中で縮径加工して、上下両端部を径方向内方側に折り曲げてある。これにより、中間筒１６のリング部２２が外筒２に圧接し、液室４内に液体が封入される。
【００３６】
上記の構造の液封入式防振装置に振動が入力すると、防振基体３が弾性変形して内筒１と外筒２が相対変位する。それに伴ってゴム壁１０が弾性変形して両液室４の容積が変化し、液体がオリフィス５を通って流動する。その結果、共振作用等の液体流動効果によって優れた振動減衰効果を得ることができる。
【００３７】
［別実施形態］
前記第１嵌合端部３２と第２嵌合端部３４と第３嵌合端部３８と第４嵌合端部４０の幅をいずれも異ならせるとともに、これに対応させて、第１嵌合凹部３３と第２嵌合凹部３５と第３嵌合凹部３９と第４嵌合凹部４１の幅を異ならせてあってもよい。
【００３８】
請求項中の記載の「同一幅」や「同一位置」には、本発明の作用効果を奏することができる限り、「ほぼ同一幅」「ほぼ同一位置」も含まれる。
【００３９】
【発明の効果】
請求項１の構成によれば、第１オリフィス形成部材と第２オリフィス形成部材の中間筒への組付けミスを防止できる液封入式防振装置を提供することができた。
【００４０】
請求項２の構成によれば、第１オリフィス形成部材と第２オリフィス形成部材の中間筒への組付けミスをより確実に防止できる液封入式防振装置を提供することができた。
【００４１】
請求項３の構成によれば、らせん状のオリフィスを備え、請求項１又は２の構成による効果と同様の効果を得ることができる液封入式防振装置を提供することができた。
【図面の簡単な説明】
【図１】液封入式防振装置の平面図
【図２】図１のＡ−Ｏ−Ａ断面図
【図３】第１及び第２オリフィス形成部材とその取付け部を示す後面図
【図４】第１及び第２オリフィス形成部材とその取付け部を示す平面図
【図５】第１及び第２オリフィス形成部材とその取付け部を示す正面図
【図６】第１及び第２オリフィス形成部材とその取付け部を示す左側面図
【図７】第１及び第２オリフィス形成部材とその取付け部を示す右側面図
【符号の説明】
１      内筒
２      外筒
３      防振基体
４      液室
５      オリフィス
８      ゴム状弾性体
１５            一方の連結壁
１５Ａ    一方の連結壁の幅方向の一端
１５Ｂ    一方の連結壁の幅方向の他端
１６      中間筒
１７      他方の連結壁
１７Ａ    他方の連結壁の幅方向の一端
１７Ｂ    他方の連結壁の幅方向の他端
２２      リング部
３０      第１オリフィス溝
３１      第１オリフィス形成部材
３１Ａ    第１オリフィス形成部材の一端
３１Ｂ    第１オリフィス形成部材の他端
３２      第１嵌合端部
３３      第１嵌合凹部
３３Ａ    第１嵌合凹部の一方の内壁
３３Ｂ    第１嵌合凹部の他方の内壁
３４      第２嵌合端部
３５      第２嵌合凹部
３５Ａ    第２嵌合凹部の一方の内壁
３６      第２オリフィス溝
３７      第２オリフィス形成部材
３７Ａ    第２オリフィス形成部材の一端
３７Ｂ    第２オリフィス形成部材の他端
３８      第３嵌合端部
３９      第３嵌合凹部
３９Ａ    第３嵌合凹部の一方の内壁
３９Ｂ    第３嵌合凹部の他方の内壁
４０      第４嵌合端部
４１      第４嵌合凹部
４１Ａ    第４嵌合凹部の一方の内壁
４２      第１溝部
４２Ａ    第１溝部の端部
４２Ｂ    第１オリフィス形成部材の一端側の第１溝部の端部
４３      第１開口
４４      第２溝部
４４Ａ    第２溝部の開放側の端部
４５      第２開口
【図１】
2004218683.tif 000003
【図２】
2004218683.tif 000004
【図３】
2004218683.tif 000005
【図４】
2004218683.tif 000006
【図５】
2004218683.tif 000007
【図６】
2004218683.tif 000008
【図７】
2004218683.tif 000009